(57)【要約】【課題】木材や合成樹脂等の素材からなる線材を編んで形成された板を棚部材として用いながら、区画部材の取付け位置を自由に変更できる商品陳列棚を提供すること。【解決手段】左右に間隔を隔てて立設された支柱２，２に取付けられる左右のブラケット７，７により棚部材１１が支持された商品陳列棚１であって、商品陳列棚１は、枠体１６と枠体１６に対して線材１７が編まれて構成される平面載置部２１とからなる棚部材１１と、線材１７により形成される所定間隔離間する複数の編み目２０，２０，…に対して挿入可能な支持突起２５ａ，２５ａ及び２５ｂ，２５ｂを複数有する区画部材２５と、を備えている。【選択図】図２
2015196024.tif 000002
【特許請求の範囲】
【請求項１】
左右に間隔を隔てて立設された支柱に取付けられる左右のブラケットにより棚部材が支持された商品陳列棚であって、
前記商品陳列棚は、枠体と該枠体に対して線材が編まれて構成される平面載置部とからなる前記棚部材と、前記線材により形成される所定間隔離間する複数の編み目に対して挿入可能な支持突起を複数有する区画部材と、を備えていることを特徴とする商品陳列棚。
【請求項２】
前記平面載置部は、２つの方向から互いに編まれる前記線材により構成されており、前記区画部材は、少なくともいずれか一方向の前記線材の所定本数が収まる幅に離間された少なくとも２本の前記支持突起を有していることを特徴とする請求項１に記載の商品陳列棚。
【請求項３】
前記平面載置部は、縦枠材と横枠材からなる矩形状の前記枠体に対して、縦方向及び横方向から前記線材が互いに編まれて構成されていることを特徴とする請求項２に記載の商品陳列棚。
【請求項４】
前記平面載置部は、２つの方向から互いに編まれる前記線材により構成されており、前記縦枠材及びまたは前記横枠材に一番接近する前記編み目に対して、前記区画部材の全ての支持突起が挿入されていることを特徴とする請求項３に記載の商品陳列棚。
【発明の詳細な説明】
【技術分野】
【０００１】
本発明は、スーパーマーケット等の店舗に設置される商品陳列棚に関する。
【背景技術】
【０００２】
スーパーマーケット等の店舗には、左右に間隔を隔てて立設された支柱にブラケットを取付け、これらブラケットにより商品を並べて陳列する棚部材を複数段支持させた商品陳列棚が設置されている。特に棚部材上に複数の異なる商品を区画して陳列するような場合や、棚部材からの商品の落下を防止する場合に、棚部材上に区画部材を適宜取付けることができる商品陳列棚がある。この種の商品陳列棚における棚部材は、薄い金属板を屈曲させて形成されており、棚部材上には棚部材の幅方向に渡り複数の孔が等間隔で穿設され、これら孔に対して係合可能な棒状の突起を下端部に有する区画部材を適宜係合させることで、棚部材上の区画や、棚部材からの商品落下防止が可能となっている（例えば、特許文献１参照）。
【先行技術文献】
【特許文献】
【０００３】
【特許文献１】特開昭６２−３６４３０号公報（第２頁、第１図）
【発明の概要】
【発明が解決しようとする課題】
【０００４】
近年、棚部材の上下の通気性の向上を図り、併せて購買意欲を高めるために、木材や合成樹脂製の線材を縦横に編んで形成された板を棚部材として用いたいといった要求がある。しかしながら、このような板を棚部材として用いた場合、板の素材として線材が用いられているため、特許文献１のように棚部材に孔を穿設することができず、区画部材の取付け位置を自由に変更できるような商品陳列棚を提供することができなかった。
【０００５】
本発明は、このような問題点に着目してなされたもので、木材や合成樹脂等の素材からなる線材を編んで形成された板を棚部材として用いながら、区画部材の取付け位置を自由に変更できる商品陳列棚を提供することを目的とする。
【課題を解決するための手段】
【０００６】
前記課題を解決するために、本発明の商品陳列棚は、
左右に間隔を隔てて立設された支柱に取付けられる左右のブラケットにより棚部材が支持された商品陳列棚であって、
前記商品陳列棚は、枠体と該枠体に対して線材が編まれて構成される平面載置部とからなる前記棚部材と、前記線材により形成される所定間隔離間する複数の編み目に対して挿入可能な支持突起を複数有する区画部材と、を備えていることを特徴としている。
この特徴によれば、線材により平面載置部上に形成される所定間隔離間する複数の編み目に対して区画部材の支持突起を適宜挿入できるため、区画部材の取付け位置を自由に変更することができる。
【０００７】
前記平面載置部は、２つの方向から互いに編まれる前記線材により構成されており、前記区画部材は、少なくともいずれか一方向の前記線材の所定本数が収まる幅に離間された少なくとも２本の前記支持突起を有していることを特徴としている。
この特徴によれば、区画部材の支持突起が、予め線材の所定本数が収まる幅に離間されて構成されているため、平面載置部上の編み目に対して区画部材の取付け位置を自由に変更することができる。
【０００８】
前記平面載置部は、縦枠材と横枠材からなる矩形状の前記枠体に対して、縦方向及び横方向から前記線材が互いに編まれて構成されていることを特徴としている。
この特徴によれば、縦枠材及び横枠材に対してそれぞれ複数の編み目を平行に整列配置でき、区画部材の設置位置の確認が容易となる。
【０００９】
前記平面載置部は、２つの方向から互いに編まれる前記線材により構成されており、前記縦枠材及びまたは前記横枠材に一番接近する前記編み目に対して、前記区画部材の全ての支持突起が挿入されていることを特徴としている。
この特徴によれば、平面載置部は縦枠材及び横枠材に近い程、線材に張力がかかっており、縦枠材及び横枠材に一番接近する編み目の剛性が高いため、区画部材が強力に保持され、商品の落下を確実に防止できる。
【図面の簡単な説明】
【００１０】
【図１】実施例における商品陳列棚の構造を示す斜視図である。
【図２】陳列棚部の構造を示す分解斜視図である。
【図３】棚部材の枠体の構造を示す斜視図である。
【図４】平面載置部を示す上面図である。
【図５】陳列棚部を示す側面図である。
【図６】第１の形態時の棚部材を示す側断面図である。
【図７】第２の形態時の棚部材を示す側断面図である。
【発明を実施するための形態】
【００１１】
本発明に係る商品陳列棚を実施するための形態を実施例に基づいて以下に説明する。
【実施例】
【００１２】
実施例に係る商品陳列棚につき、図１から図７を参照して説明する。以下、図１の画面左下側を商品陳列棚の正面側（前方側）とし、商品陳列棚の正面視左右側を商品陳列棚の左右側として説明する。
【００１３】
図１に示されるように、商品陳列棚１は、主に商店やスーパーマーケットやコンビニエンスストア等に設置され、商品を陳列して販売するためのものであり、売り場において、複数に並列または単体で配置されている。尚、本実施例では、単体で配置された商品陳列棚１を例に取り説明する。
【００１４】
図１及び図２に示されるように、商品陳列棚１は、左右に離間した中空筒状の支柱２，２と、支柱２，２の前面側に上下複数に取付けられる陳列棚部３，３，…（棚部）と、商品陳列棚１の下部に設けられる下方棚部４と、から主に構成されている。
【００１５】
支柱２の下端部には、前後に延びる脚部５ａ，５ａ及び上方側に延びる図示しない挿入部を有する略Ｔ字形状のベース脚５が、前記挿入部を支柱２の下端部に挿入嵌合することで組み付けられており、前後方向への転倒が防止されている。尚、このベース脚５は、脚部５ａを前後に有する形状に限られず、前方に延びる脚部及び上方側に延びる挿入部を有するＬ字形状に形成し、前方への転倒が防止されていてもよい。
【００１６】
支柱２，２の上下端は、左右に延びる架設部材６，６により、支柱２，２同士が強固に連結されている。また各支柱２の前面には、係止孔２ａ，２ａ，…が上下複数に設けられている。支柱２の係止孔２ａには、ブラケット７の後端に設けられたフック８，８，…が係止可能となっており、フック８を係止孔２ａに係止させることによりブラケット７が支柱２の前面に取付けられる。
【００１７】
図１に示されるように、下方棚部４は、支柱２，２にそれぞれ取付けられた左右１対のブラケット７，７と、左右１対のブラケット７，７の上に図示しないボルト等により固定される棚板９と、から構成され、棚板９の上面に商品を陳列することができるようになっている。
【００１８】
図１及び図２に示されるように、陳列棚部３は、支柱２，２にそれぞれ取付けられた左右１対のブラケット７，７と、左右１対のブラケット７，７に支持される基台部材１０と、基台部材１０上に支持される棚部材１１と、を備えている。
【００１９】
図２に示されるように、基台部材１０は、左右両端側に配置され下向き略コ字形状の凹部１２ａ，１２ａをそれぞれ有した縦枠部１２，１２と、縦枠部１２，１２同士の前端部を連結する前方連結部１３と、縦枠部１２，１２同士の後端部を連結する後方連結部１４と、を有している。縦枠部１２，１２の凹部１２ａ，１２ａは、ブラケット７，７に外嵌可能となっており、凹部１２ａ，１２ａをブラケット７，７に外嵌させ、図示しない固定ネジにより縦枠部１２，１２とブラケット７，７とを締結することで基台部材１０がブラケット７，７を介して支柱２，２に対して取付けられる。
【００２０】
図２に示されるように、後方連結部１４は、前後に離間して配置された凸片１４ｂ（凸部）及び突片１４ｃを有し、凸片１４ｂ（凸部）及び突片１４ｃの間には、左右方向に延びる凹溝１４ａが形成されている。また、凸片１４ｂは、後方連結部１４の前方側に配置されており、縦枠部１２，１２の上面よりも上方に突出している（図６参照）。
【００２１】
本実施例の棚部材１１は、略矩形状の枠体１６に樹脂等により形成された線材１７を編み込むことにより形成されている。図３及び図４に示されるように、枠体１６は、前後に直線状に延びる縦枠材１６ａ，１６ａと、縦枠材１６ａ，１６ａを連結するように前後方向に離間して配される複数（本実施例では６本）横枠材１９Ａ，１９Ｂ，１９Ｃ，１９Ｄ，１９Ｅ，１９Ｆと、最も後端に配される横枠材１９Ｆから上下方向に延びる立上部１８と、を有している。
【００２２】
図４に示されるように、線材１７は、横枠材１９Ａ，１９Ｂ，１９Ｃ，１９Ｄ，１９Ｅと縦枠材１６ａ，１６ａとを覆うように縦方向及び横方向から編み込まれており、この線材１７が編み込まれた部分が商品を陳列可能な平面載置部２１として機能している。
【００２３】
平面載置部２１は、縦方向の線材１７Ａと横方向の線材１７Ｂとを上下交互に重ねるようにして編み込まれており、これら縦方向の線材１７Ａと横方向の線材１７Ｂの交差部分に編み目２０，２０，…が複数形成される。また、平面載置部２１は、これらの編み目２０，２０，…が、前後方向の縦枠材１６ａ，１６ａと略平行かつ、幅方向の横枠材１９Ａ，１９Ｂ，１９Ｃ，１９Ｄ，１９Ｅとも略平行な碁盤目状となるように均等間隔で配列されている。
【００２４】
平面載置部２１は、棚部材１１における立上部１８の立ち上がり方向と同一側の面と、その裏側の面との両面に、商品を陳列可能な第１載置面１１ａ及び第２載置面１１ｂを有している。また、前述したように最も後端に配される横枠材１９Ｆと該横枠材１９Ｆに隣接する横枠材１９Ｅとの間には線材１７が張られておらず、上下に貫通する孔部２２を構成している。
【００２５】
図２に示されるように、平面載置部２１上には、区画部材２５，２５，…が取付け可能となっており、平面載置部２１上における左右両端側に取付けられた区画部材２５，２５は商品の落下防止部材として機能し、平面載置部２１上における中央側に取付けられた区画部材２５は商品を区画して陳列する際の仕切り部材として機能する。
【００２６】
図２及び図５に示されるように、区画部材２５は下方に延出する複数の支持突起２５ａ，２５ａ及び支持突起２５ｂ，２５ｂを備え、これら支持突起２５ａ，２５ａ及び支持突起２５ｂ，２５ｂは、複数の編み目２０，２０，…から任意の位置に選択的に挿入可能となっている。編み目２０，２０，２０は、支持突起２５ａ，２５ａ及び支持突起２５ｂ，２５ｂの挿入により押し拡げられ、挿入完了後は、編み目２０，２０，…を構成する前後左右の線材１７の張力により支持突起２５ａ，２５ａ及び支持突起２５ｂ，２５ｂが保持され、平面載置部２１上に区画部材２５を確実に立設することができる。
【００２７】
また図５に示されるように、区画部材２５は、平面載置部２１への取付時に長手方向に連設される支持突起２５ａ，２５ａ及び支持突起２５ｂ，２５ｂ間に所定の本数（ｎ本）の横方向の線材１７Ｂが収まるように、隣り合う支持突起２５ａ，２５ａ及び支持突起２５ｂ，２５ｂ同士の離間距離が設計されている。そのため、平面載置部上の編み目２０，２０，…に対して区画部材２５，２５の取付け位置を自由に変更することができる。
【００２８】
また、区画部材２５は、支持突起２５ａと支持突起２５ｂとにより線材１７を挟みこむように取付けられるため、平面載置部２１上に安定して立設されることになる。
【００２９】
図２に示されるように、商品の落下防止として機能する区画部材２５，２５は、平面載置部２１上において最も縦枠材１６ａ，１６ａに接近し、かつ平行に設けられた編み目２０，２０，…から適宜選択された編み目２０，２０，…に対して挿入されている。これによれば、平面載置部２１は縦枠材１６ａ，１６ａに近い程、線材１７に張力がかかっていることから、縦枠材１６ａ，１６ａに一番接近する編み目２０，２０，…が強く緊締されているため、区画部材２５，２５の支持突起２５ａ，２５ａ及び支持突起２５ｂ，２５ｂが強力に保持され、区画部材２５，２５により商品の落下を確実に防止できる。
【００３０】
また、平面載置部２１は、前述したように、編み目２０，２０，…が、前後方向の縦枠材１６ａ，１６ａと略平行かつ、幅方向の横枠材１９Ａ，１９Ｂ，１９Ｃ，１９Ｄ，１９Ｅとも略平行な碁盤目状となるように均等間隔で配列されているため、区画部材２５，２５の設置位置の確認が容易となっている。
【００３１】
また、支持突起２５ａ，２５ａ及び支持突起２５ｂ，２５ｂが挿入されていない編み目２０，２０，…は線材１７にかかる張力により形状が保たれているため、第１載置面１１ａ及び第２載置面１１ｂ上の面形状を安定させることができる。
【００３２】
図６に示されるように、棚部材１１は、通常の陳列時において第２載置面１１ｂが上方側に配され、第２載置面１１ｂが水平となった第１の形態となっている。このときには、棚部材１１の縦枠材１６ａ，１６ａが、基台部材１０の縦枠部１２，１２上に配置されているため、棚部材１１が安定して基台部材１０に載置されている。また、基台部材１０の凸片１４ｂが棚部材１１の孔部１１ｃ内に挿入されており、棚部材１１は、孔部１１ｃと基台部材１０の凸片１４ｂとの係合により前後移動が規制されている。また、立上部１８が第２載置面１１ｂから上方に立ち上がった状態となっており、第２載置面１１ｂに陳列された商品の後方側への移動が防止されている。
【００３３】
次に、前記第１の形態時の棚部材１１を裏返した第２の形態について説明する。図７に示されるように、第２の形態時の棚部材１１は、第１載置面１１ａが上方側に配されているとともに、立上部１８が凹溝１４ａ内に挿入され突片１４ｃに当接することで、棚部材１１の後方側が持ち上がり、第１載置面１１ａがブラケット７，７に対し傾斜している。そのため、第１載置面１１ａに載置された商品は、傾斜した状態で陳列されており、客から見やすくなっている。また、棚部材１１の立上部１８が凹溝１４ａに係合しているため、棚部材１１の前後移動が規制されている。このように、棚部材１１の表裏に設けられた第１載置面１１ａ及び第２載置面１１ｂの一方を選択して商品載置面として用いることのみで、商品載置面がブラケット７，７に対し傾斜した第１の形態、または商品載置面がブラケット７，７に対し平行となる第２の形態とすることができ、商品を載置する商品載置面の角度調節を簡便に行うことができる。
【００３４】
また、平面載置部２１は線材１７が縦横に筋違いで編まれて構成されて、第１載置面１１ａ及び第２載置面１１ｂのどちらにも複数の編み目２０，２０，…が形成されており、いずれの面を選択しても自由な位置に区画部材２５，２５，…の取付けが可能である。
【００３５】
更に、基台部材１０の凸片１４ｂは、第１の形態時の棚部材１１の孔部１１ｃ内に挿入されることで、第１の形態時の棚部材１１の前後移動を規制する効果を奏するばかりか、当該凸片１４ｂは、突片１４ｃとともに凹溝１４ａを構成するため、第２の形態時の棚部材１１の立上部１８を凹溝１４ａに係合することで、第２の形態時の棚部材１１の前後移動を規制する効果も奏する。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例では、棚部材１１が基台部材１０を介してブラケット７，７に載置される態様について説明したが、基台部材を省略してブラケットに対して棚部材が直接支持されるようにしてもよい。
【００３８】
また、平面載置部２１は、図２及び図５に示されるように、縦枠材１６ａ，１６ａに対して縦方向の線材１７Ａが略平行に、横枠材１９Ａ，１９Ｂ，１９Ｃ，１９Ｄ，１９Ｅに対して横方向の線材１７Ｂが略平行となる態様で説明したが、区画部材２５，２５の支持突起２５ａ，２５ａ及び支持突起２５ｂ，２５ｂ間に所定の本数（ｎ本）の横方向の線材１７Ｂが収まるように設計されていれば上記した態様にかぎらず、例えば、縦枠材１６ａ，１６ａ及び横枠材１９Ａ，１９Ｂ，１９Ｃ，１９Ｄ，１９Ｅに対して交差するように平面載置部２１が編み込まれていてもよいし、螺旋状に編み込まれていてもよい。
【００３９】
また、区画部材２５は、平面載置部２１に対して前後方向に設けられた縦枠材１６ａ，１６ａと平行に取付けられる態様で説明したが、これに限らず、横方向に取付けることで、傾斜した載置面となる第１載置面１１ａ上に陳列された商品の前方側への落下を防止するストッパーとして利用されてもよい。このように区画部材２５横方向に取付ける場合は、区画部材２５が支持突起２５ａ，２５ａ及び支持突起２５ｂ，２５ｂ間に所定の本数（ｎ）の縦方向の線材１７Ａが収まるように設計されることが望ましい。更に、斜めに取付けることにより平面載置部２１上に多様な区画構成で商品を陳列可能としてもよく、この場合は、区画部材２５の取付可能角度を予め設定しておき、この角度に応じて支持突起２５ａ，２５ａ及び支持突起２５ｂ，２５ｂ間に縦方向の線材１７Ａまたは横方向の線材１７Ｂのいずれかが所定本数収まるように区画部材２５が設計されることが望ましい。
【００４０】
前述したように区画部材２５における支持突起２５ａ，２５ａ及び支持突起２５ｂ，２５ｂ同士の離間距離は、所定本数の線材１７の幅を合計したものである。そのため、線材１７の幅寸法が全て同寸である場合は、線材１７の寸法幅を所定本数と乗算することで、簡単に設計することができる。尚、区画部材２５に設けられる支持突起の数は２本に限らず、３本以上の複数本であってもよく、３本以上の複数本である場合は、区画部材２５の長手方向に隣接する支持突起同士の離間距離は、それぞれ異なる長さであってよい。
【符号の説明】
【００４１】
１                商品陳列棚
２                支柱
２ａ              係止孔
３                陳列棚部（棚部）
７                ブラケット
８                フック
１０              基台部材
１１              棚部材
１１ａ            第１載置面
１１ｂ            第２載置面
１４ａ            凹溝
１６              枠体
１６ａ            縦枠材
１７              線材
１７Ａ            縦方向の線材
１７Ｂ            横方向の線材
１８              立上部
１９Ａ〜１９Ｅ    横枠材
１９Ｆ            最後端の横枠材
２０，２０，…    編み目
２１              平面載置部
２５              区画部材
２５ａ，２５ａ    支持突起
２５ｂ，２５ｂ    支持突起
【図１】
2015196024.tif 000003
【図２】
2015196024.tif 000004
【図３】
2015196024.tif 000005
【図４】
2015196024.tif 000006
【図５】
2015196024.tif 000007
【図６】
2015196024.tif 000008
【図７】
2015196024.tif 000009